(57)【要約】【課題】電線に取り付ける際に強い把持力を必要とせず、手間がかからず短時間で電線に取り付けることが可能な電線クリップを提供する。【解決手段】電線を挿通可能に所定の間隔で並設されると共に基端部同士が連結部４により一体に連結された一対の挟持片２，３と、連結部４に連結された把持部１０とを有する。把持部１０は、連結部４の挟持片２，３が延設される側と反対側に設けられ、球体継手１１やユニバーサルジョイントを介して回転自在に連結されている。一対の挟持片２，３は、挟持片間の中心線αを中心として中間部が同方向に略９０度捻られている。【選択図】  図１
2014176116.tif 000002
【特許請求の範囲】
【請求項１】
電線を挿通可能に所定の間隔で並設されると共に基端部同士が連結部により一体に連結された一対の挟持片と、
前記連結部の前記挟持片が延設される側と反対側に設けられ、前記連結部に対して回転自在に連結された把持部と、
を備え、前記一対の挟持片は、挟持片間の中心線を中心として中間部が同方向に略９０度捻られていることを特徴とする電線クリップ。
【請求項２】
前記連結部と前記把持部との連結は、球体継手を介して連結されていることを特徴とする請求項１記載の電線クリップ。
【請求項３】
前記連結部と前記把持部との連結は、ユニバーサルジョイントを介して連結されていることを特徴とする請求項１記載の電線クリップ。
【請求項４】
前記一対の挟持片の先端部同士は、他の部分よりも間隔が広げられていることを特徴とする請求項１記載の電線クリップ。
【請求項５】
前記一対の挟持片は、長さが異なっていることを特徴とする請求項１記載の電線クリップ。
【発明の詳細な説明】
【技術分野】
【０００１】
本発明は、配電設備の引下げ線や架線などの架空電線に取り付けられて、電線を他の電線に仮留めするため等に用いられる電線クリップに関する。
【背景技術】
【０００２】
例えば、高圧引下げ線は、分岐コネクタを介して高圧架空電線に接続されるが、この分岐コネクタの取付け・取外しの作業においては、作業を容易に行うために、高圧引下線を高圧架空電線や引下線自身に仮止めすることが行われる。
【０００３】
このような仮止めにおいては、下記する特許文献１（特開２０１１−０６２００４号公報）に示されるように、中間部が軸支された一対の挟持部材を備え、それぞれの挟持部材に軸支位置を境にして一方の側を挟持部とし、他方の側を操作部としたクリップを用い、一対の操作部を絶縁ヤットコ等の間接活線工具で把持することで一対の挟持部を開き、その状態を維持させて挟持部間に電線を挿入し、操作部に対する把持力を解除して一対の挟持部で電線を挟み込むようにしている。
【先行技術文献】
【特許文献】
【０００４】
【特許文献１】特開２０１１−０６２００４号公報
【発明の開示】
【発明が解決しようとする課題】
【０００５】
しかしながら、上述のようなクリップにおいては、電線を仮支持するために間接活線工具で操作部を強く把持し、挟持部を開いた状態で電線にアプローチしなければならない。このため、操作部への把持力が少しでも弛むと、クリップの操作部に対する間接活線工具の把持位置がずれてクリップが落下する恐れがあり、また、電線へのクリップの取り付け状態が不十分であると、再度、クリップの操作部を挟み込んで取り付けをし直さなければならない等の不都合がある。
このため、クリップの電線への取り付けは、慎重に行わなければならず、手間と時間を要するものであった。
【０００６】
本発明は、係る事情に鑑みてなされたものであり、電線に取り付ける際に強い把持力を必要とせず、電線に簡易に取り付けることができ、手間がかからず短時間で取り付けることが可能な電線クリップを提供することを主たる課題としている。
【課題を解決するための手段】
【０００７】
上記課題を達成するために、本発明にかかる電線クリップは、電線を挿通可能に所定の間隔で並設されると共に基端部同士が連結部により一体に連結された一対の挟持片と、前記連結部の前記挟持片が延設される側と反対側に設けられ、回転自在に連結された把持部と、を備え、前記一対の挟持片は、挟持片間の中心線を中心として中間部が同方向に略９０度捻られていることを特徴としている。
【０００８】
したがって、このような電線クリップを用いて電線を他の電線に仮止めするには、２本の電線を近接させた状態とし、間接活線工具を用いて電線クリップの把持部を把持して一対の挟持片の先端開口部を電線側に向け、そのまま電線クリップを電線の側方から電線に向かって動かして一対の挟持片間に２本の電線を順次挿入する。その後、間接活線工具で把持部を把持したまま、さらに電線クリップを押し込むと、一対の挟持片は、中間部で同方向に略９０度捻られているので、電線が中間部に差し掛かると、一対の挟持片が連結部と共に回転し、電線が中間部を通過した状態においては、一対の挟持片の中間部よりも先端側は、電線に対して略直交する方向に側面が開放された状態となり、また、中間部よりも基端側は、電線の延設方向に側面が開放された状態となる。したがって、電線クリップが取り付けられた電線は、中間部を超えると、中間部と連結部との間の空間に留まることになり、クリップに格別な把持力を持たせなくても、２本の電線を仮止めすることが可能となる。また、従来のように間接活線工具で電線クリップの把持部を強く把持し続ける必要はなく、一旦、電線を電線クリップの挟持片間に挿入すれば、電線クリップを押し込む操作だけで電線を仮止めすることが可能となるので、簡易な操作で電線クリップの装着が可能となる。
【０００９】
尚、前記連結部と前記把持部との連結としては、球体継手を介して連結するようにしても、ユニバーサルジョイントを介して連結するようにしてもよい。
また、一対の挟持片間への電線の挿入をスムーズに行えるようにするために、前記一対の挟持片の先端部同士は、他の部分よりも間隔が広げられていることが望ましい。また、一対の挟持片間への電線の挿入を容易にするために、前記一対の挟持片の長さを異ならせるようにしてもよい。
【発明の効果】
【００１０】
以上述べたように、本発明によれば、電線を挿通可能とする一対の挟持片の連結部に把持部を回転自在に連結し、一対の挟持片の中間部を挟持片間の中心線を中心として同方向に略９０度捻るようにしたので、電線クリップを電線の側方から押し込むことで、挟持片が９０度回転し、電線を挟持片間の中間部と連結部との間に保持させることが可能となる。このため、電線クリップを電線に取り付ける際に強い把持力を必要とせず、電線に簡易に且つ短時間で取り付けることが可能となる。
【００１１】
また、一対の挟持片の先端部同士を他の部分よりも間隔を広げたり、一対の挟持片の長さを異ならせたりすることで、一対の挟持片間への電線の挿入をスムーズに行え、また、一対の挟持片間への電線の挿入が容易となる。
【図面の簡単な説明】
【００１２】
【図１】図１は、本発明に係る電線クリップを示す図であり、（ａ）はその斜視図、（ｂ）はその側面図（（ａ）をＡ方向から見た図）、（ｃ）はその平面図（（ａ）をＢ方向から見た図）である。
【図２】図２は、電線クリップの連結部と把持部との連結状態を示す図であり、（ａ）は、球体継手を介して連結された状態を示す図、（ｂ）は、ユニバーサルジョイントを介して連結された状態を示す図である。
【図３】図３は、本発明に係る電線クリップを用いて電線に装着する過程を示す図であり、（ａ）は、一対の挟持片間に電線を挿入する前の状態を示す図、（ｂ）は、一対の挟持片間（第１の空間６）に電線を挿入した初期の状態を示す図、（ｂ）は、一対の挟持片間の奥まで（第２の空間７まで）電線を挿入した状態を示す図である。
【図４】図４は、本発明に係る電線クリップの変形例を示す図であり、（ａ）はその斜視図、（ｂ）はその側面図（（ａ）をＡ方向から見た図）、（ｃ）はその平面図（（ａ）をＢ方向から見た図）である。
【図５】図５は、本発明に係る電線クリップの他の変形例を示す図であり、（ａ）はその斜視図、（ｂ）はその側面図（（ａ）をＡ方向から見た図）、（ｃ）はその平面図（（ａ）をＢ方向から見た図）である。
【発明を実施するための形態】
【００１３】
以下、本発明の実施例を図面に基づいて説明する。
【００１４】
図１において、電線クリップ１は、一対の挟持片２，３と把持部１０とを有して構成されている。
【００１５】
一対の挟持片２，３は、硬質の合成樹脂材等の絶縁素材によって構成された所定幅（例えば、２−５ｃｍ程度）の帯状部材を電線２０を摺接させながら挿通可能とする間隔（電線の径にほぼ等しい間隔）で並設され、それぞれの基端部同士をそれぞれの挟持片２，３と一体をなす連結部４により連結させている。
【００１６】
それぞれの挟持片２，３は、１０〜３０ｃｍ程度の長さに形成され、この例においては、各挟持片２，３の連結部４から先端までの長さが同じ長さに形成されている。また、それぞれの挟持片２，３は、長手方向の略中央となる中間部に挟持片間の中心線αを中心として同方向に略９０度捻られたねじれ部２ａ，３ａが形成されている。したがって、一対の挟持片２，３間の中間部（ねじれ部２ａ，３ａ）よりも先端側には、先端が開放された直線状の第１の空間６が形成され、また、一対の挟持片間の中間部（ねじれ部２ａ，３ａ）と連結部４との間には、基端が連結部４により閉塞された直線状の第２の空間７が形成され、第１の空間６と第２の空間７とは、電線２０を挿通させる方向が直交するように形成され、それぞれの挟持片２，３のねじれ部２ａ，３ａ間に設けられたねじれ空間８を介して連通されている。
【００１７】
把持部１０は、連結部４の挟持片２，３が延設されている側と反対側に設けられ、絶縁ヤットコ等の間接活線把持工具や手で把持可能な大きさに板状に形成されている。また、表裏面が波型等に形成されて滑り止め加工が施され、連結部４に埋設された球体継手１１にロッド１２を介して回転可能に連結されている。この把持部１０は、連結部４に対して挟持片２，３の延設方向と反対方向に延設されるよう連結部４に対する角度が予め固定されるものであってもよいが、この例においては、図２（ａ）に示されるように、把持部１０の連結部４に対する角度が調整できるように、連結部４のロッド１２を挿通させる挿通孔１３が外側に向けて広がるようにテーパ状に形成されている。
【００１８】
以上の構成を有する電線クリップ１において、電線２０を他の電線２０に仮支持するために、電線クリップ１を２本の電線に渡すように取り付けるには、図３（ａ）に示されるように、２本の電線２０を並べて、２本の電線２０が側方から見て直線上となる位置に電線クリップ１をその先端開口部が電線側に向くように配置し、そのまま、電線クリップ１を電線２０に向かって動かし、２本の電線２０を順次挟持片２，３間に挿入する。
【００１９】
すると、２本の電線２０は、図３（ｂ）に示されるように、第１の空間６を通過するように挟持片２，３間に位置し、この状態からさらに電線クリップ１を押し込むと、電線２０がひねり部２ａ，３ａ（ねじれ空間８）を通過する際に挟持片２，３が連結部４とともに徐々に回転し、電線２０がひねり部２ａ，３ａ（ねじれ空間８）を通過すると、図３（ｃ）に示されるように、一対の挟持片２，３が略９０度回転した状態となり、２本の電線２０は第２の空間７を通過するように挟持片２，３間に配置され、この状態で電線クリップ１により支持される。
【００２０】
したがって、作業者は、電線クリップ１の把持部１０を持ったまま電線２０に向かって電線クリップ１を押し込む操作のみを行えば、電線２０が電線クリップ１の第２の空間７に配置された状態で支持されるので、電線クリップ1に格別な把持力を持たせなくても、２本の電線２０を仮止めすることが可能となる。また、従来のクリップのように、間接活線工具で電線クリップ１の把持部１０を強く把持し続ける必要がなく、一旦、電線２０を電線クリップ１の挟持片２，３間に挿入すれば、電線クリップ１を押し込む操作さえ行えば、電線２０を仮止めすることが可能となるので、格別な労力を必要とせず、簡易な操作で電線クリップ１の装着が可能となる。したがって、作業者の経験によらず、電線クリップ１の電線２０への取り付けを短時間で行うことが可能となる。
【００２１】
なお、上述した電線において、連結部４に対して把持部１０を球体継手１１を介して連結した構成を示したが、これに限らず、把持部１０を連結部４に対して回転可能に取り付けることができる構成であれば、他の構成であってもよい。たとえば、図２（ｂ）に示されるように、連結部４と把持部１０とをユニバーサルジョイント１５を介して連結するようにしてもよい。
【００２２】
また、上述の構成においては、一対の挟持片２，３の間隔が連結部４から開放端にかけて同じ間隔にした例を示したが、図４に示されるように、先端部にテーパ状又は湾曲状に広げられた拡大解放部２ｂ，３ｂを設け、一対の挟持片の先端部同士を他の部分よりも間隔が広がるようにしてもよい。
【００２３】
このような構成によれば、電線２０の挟持片間への挿入がスムーズに行え、特に間接活線作業時に電線２０の位置に挟持片２，３の解放端の位置が合わせにくいような場合においても、電線２０を挟持片２，３間にスムーズかつ容易に案内することが可能となる。
【００２４】
また、以上の構成においては、一対の挟持片の連結部４から先端までの長さを等しくした例について述べたが、図５に示されるように、一対の挟持片の長さ（連結部４から先端までの長さ）を異ならせるようにしてもよい。
【００２５】
このような構成においては、電線２０をより長い挟持片３の内側面にあてがい、この内側面にガイドしつつ一対の挟持片２，３間に電線２０を導くことが可能となり、電線２０と電線クリップ１の先端との位置合わせをラフに行うことができ、一対の挟持片２，３間への電線２０の挿入が容易となる。
【００２６】
なお、上述した電線クリップ１は、引下げ線のみならず、他の架空電線などの複数の電線同士を仮止めする場合に採用することが可能である。
【符号の説明】
【００２７】
１  電線クリップ
２，３  挟持片
２ａ，３ａ  ひねり部
２ｂ，３ｂ  拡大解放部
４  連結部
１０  把持部
１１  球体継手
１５  ユニバーサルジョイント
２０  電線
【図１】
2014176116.tif 000003
【図２】
2014176116.tif 000004
【図３】
2014176116.tif 000005
【図４】
2014176116.tif 000006
【図５】
2014176116.tif 000007